(57)【要約】【課題】装置の状態の表示に必要な表示部、及び表示パターンの増加を抑えつつ、何れのキーを押下すれば装置の状態を特定できるかについて示唆を与えることができる装置の状態表示装置を提供することである。【解決手段】装置の状態表示装置は、複数の入力キー、第一判断手段、発光制御手段を備える。複数の入力キーは、複数の属性の各々に対応する。第一判断手段は、複数の属性のうち発生した状態に対応する所望キー又は所望キーとは異なる入力キーが押下されたことを判断する（Ｓ１９）。発光制御手段は、第一判断手段が所望キーが押下されたと判断した場合、ＬＥＤを第一発光パターンで発光させ（Ｓ２１）、及び第一判断手段が所望キーとは異なるキーが押下されたと判断した場合、ＬＥＤを、所望キーを見付ける示唆を与える第二発光パターンで発光させる（Ｓ３３）。【選択図】図５
2019089273.tif 000002
【特許請求の範囲】
【請求項１】
装置における複数の状態の各々に対応する複数のキーと、
前記複数のキーのうち、前記複数の状態のうち発生した状態に対応する所望キー又は前記所望キーとは異なるキーが押下されたことを判断する第一判断手段と、
前記複数の状態よりも少なく、且つ少なくとも一つ備えられ、前記第一判断手段が前記複数のキーのうちの何れかのキーが押下されたと判断したとき、押下されたキーに基づき発光可能な表示部と、
前記第一判断手段が前記所望キーが押下されたと判断した場合、前記表示部を第一発光パターンで発光させ、及び前記第一判断手段が前記所望キーとは異なるキーが押下されたと判断した場合、前記表示部を、前記所望キーを見付ける示唆を与える第二発光パターンで発光させる発光制御手段と
を備えることを特徴とする装置の状態表示装置。
【請求項２】
前記装置の状態表示装置は、
前記第一判断手段が前記所望キーとは異なるキーが押下されたと判断した場合、前記所望キーから所定範囲内のキーが押下されたか否かを判断する第二判断手段
を更に備え、
前記発光制御手段は、
前記第二判断手段が前記所望キーから前記所定範囲内のキーが押下されたと判断した場合にのみ、前記表示部を前記第二発光パターンで発光させる
ことを特徴とする請求項１に記載の装置の状態表示装置。
【請求項３】
前記装置の状態表示装置は、
前記第一判断手段が前記所望キーとは異なるキーが押下されたと判断した場合、前記所望キーから１つ隣のキーが押下されたか否かを判断する第三判断手段
を更に備え、
前記発光制御手段は、
前記第三判断手段が前記所望キーの前記１つ隣のキーが押下されたと判断した場合、前記表示部を第三発光パターンで発光させる
ことを特徴とする請求項２に記載の装置の状態表示装置。
【請求項４】
前記装置の状態表示装置は、
前記第一判断手段が前記所望キーとは異なるキーが押下されたと判断した場合、前記所望キーから２つ隣のキーが押下されたか否かを判断する第四判断手段
を更に備え、
前記発光制御手段は、
前記第四判断手段が前記所望キーの前記２つ隣のキーが押下されたと判断した場合、前記表示部を、前記第三発光パターンとは異なる第四発光パターンで発光させる
ことを特徴とする請求項３に記載の装置の状態表示装置。
【請求項５】
前記複数のキーは、前記複数のキーの位置に対応する複数の領域に分類可能であり、
前記装置の状態表示装置は、
前記第一判断手段が前記所望キーとは異なるキーが押下されたと判断した場合、前記複数の領域のうち前記所望キーに対応する領域と同一の領域に分類されているキーが押下されたか否かを判断する第五判断手段
を更に備え、
前記発光制御手段は、
前記第五判断手段が、前記所望キーに対応する領域と同一の領域に分類されているキーが押下されたと判断した場合、前記表示部を第五発光パターンで発光させる
ことを特徴とする請求項１から４の何れかに記載の装置の状態表示装置。
【請求項６】
前記複数のキーは所定領域に配置されており、
前記装置の状態表示装置は、
前記第一判断手段が前記所望キーとは異なるキーが押下されたと判断した場合、前記所望キーが、前記押下されたキーに対して前記所定領域の一方側にあるか否かを判断する第六判断手段
を更に備え、
前記発光制御手段は、
前記第六判断手段が、前記所望キーが、前記押下されたキーに対して前記所定領域の前記一方側に有ると判断した場合、前記表示部を第六発光パターンで発光させる
ことを特徴とする請求項１から５の何れかに記載の装置の状態表示装置。
【請求項７】
前記表示部は、前記装置に設けられたＬＥＤであること
を特徴とする請求項１から６の何れかに記載の装置の状態表示装置。
【請求項８】
前記ＬＥＤは、複数の色で発光すること
を特徴とする請求項７に記載の装置の状態表示装置。
【請求項９】
前記装置の状態表示装置は、
前記装置が前記複数の状態のうち何れかの状態が発生した所定状態であることを判断する第七判断手段
を更に備え、
前記発光制御手段は、
前記第七判断手段が前記所定状態であると判断した場合、前記表示部を第七発光パターンで発光させる
ことを特徴とする請求項１から８の何れかに記載の装置の状態表示装置。
【請求項１０】
前記装置の状態表示装置は印刷装置のエラーを表示すること
を特徴とする請求項１から９の何れかに記載の装置の状態表示装置。
【発明の詳細な説明】
【技術分野】
【０００１】
本発明は、装置の状態表示装置に関する。
【背景技術】
【０００２】
複数のＬＥＤと複数のスイッチを用いてアラーム原因を通知する装置が知られている。例えば、特許文献１は、プリンタのアラーム詳細表示方法を開示している。当該プリンタは、三つのスイッチ、及び二つのＬＥＤを備える。当該プリンタのアラーム詳細表示方法では、複数のアラーム原因は、三つのスイッチのオン・オフ状態の組み合わせ、及び二つのＬＥＤの点灯パターンの組み合わせで特定される。例えば、３つのスイッチが夫々、オフ、オフ、オンの状態、且つ二つのＬＥＤの点灯のパターンが夫々、オフ、オンの状態となる場合、アラーム詳細表示方法は、プリンタの状態がアラーム原因１であることを特定する。このように、プリンタのアラーム詳細表示方法は、３つのスイッチのオン・オフと２つのＬＥＤの点灯の組み合わせにより複数のアラーム原因を特定できる。
【先行技術文献】
【特許文献】
【０００３】
【特許文献１】特開昭６３−５６４７９号公報
【発明の概要】
【発明が解決しようとする課題】
【０００４】
上記プリンタは、ＬＣＤ（Ｌｉｑｕｉｄ Ｃｒｙｓｔａｌ Ｄｉｓｐｌａｙ）、７ｓｅｇＬＥＤ、又は点光源を面状に配置したディスプレイ等を備えていないため、エラーの状態の数が増えた場合、上記のアラーム詳細表示方法では、エラーの表示に必要なＬＥＤ、及びＬＥＤの点灯パターンが増える。これにより、ユーザが装置の状態を特定しにくくなるといった問題点がある。また、上記プリンタのアラーム詳細表示方法は、所望のスイッチ及びＬＥＤの組み合わせを特定するまでに、その組み合わせを特定するための示唆がない。故に、スイッチのオン・オフの組み合わせとＬＥＤの点灯パターンを順番に追って確認するため、ユーザがエラーの状態を特定するまでに時間がかかるといった問題点がある。
【０００５】
本発明の目的は、装置の状態の表示に必要な表示部、及び表示パターンの増加を抑えつつ、何れのキーを押下すれば装置の状態を特定できるかについて示唆を与えることができる装置の状態表示装置を提供することである。
【課題を解決するための手段】
【０００６】
本発明の一態様の装置の状態表示装置は、装置における複数の状態の各々に対応する複数のキーと、前記複数のキーのうち、前記複数の状態のうち発生した状態に対応する所望キー又は前記所望キーとは異なるキーが押下されたことを判断する第一判断手段と、前記複数の状態よりも少なく、且つ少なくとも一つ備えられ、前記第一判断手段が前記複数のキーのうちの何れかのキーが押下されたと判断したとき、押下されたキーに基づき発光可能な表示部と、前記第一判断手段が前記所望キーが押下されたと判断した場合、前記表示部を第一発光パターンで発光させ、及び前記第一判断手段が前記所望キーとは異なるキーが押下されたと判断した場合、前記表示部を、前記所望キーを見付ける示唆を与える第二発光パターンで発光させる発光制御手段とを備えることを特徴とする。
【０００７】
この場合、装置の状態表示装置では、第一判断手段が所望キーが押下されたと判断した場合、表示部は、第一発光パターンで発光する。装置における複数の状態が複数のキーの各々と対応しているため、ユーザは、複数の状態に対応する所望キーと第一発光パターンとを観測することにより複数の状態の何れかを特定することができる。また、装置の状態表示装置は、複数の状態が複数のキーの各々と対応しているため、少なくとも一つの表示部で実現できる。故に、ユーザは、装置の状態を特定しやすい。装置の状態表示装置は、所望キーとは異なるキーが押下された場合、表示部が第二発光パターンで発光することにより所望キーの特定に関する示唆をユーザに与える。故に、ユーザは、装置の複数の状態に対応する所望キーを見付けようとした場合、複数のキーの全てを順番に押すことに比べて少ない回数で所望キーを特定することができる。故に、ユーザは、所望キーを特定しやすい。
【０００８】
前記装置の状態表示装置は、前記第一判断手段が前記所望キーとは異なるキーが押下されたと判断した場合、前記所望キーから所定範囲内のキーが押下されたか否かを判断する第二判断手段を更に備え、前記発光制御手段は、前記第二判断手段が前記所望キーから前記所定範囲内のキーが押下されたと判断した場合にのみ、前記表示部を前記第二発光パターンで発光させてもよい。この場合、装置の状態表示装置では、第二判断手段が所望キーから所定範囲内のキーが押下されたと判断した場合、表示部は、第二発光パターンで発光する。故に、ユーザは、表示部が第二発光パターンで発光しているとき、押下されたキーが所望キーから所定範囲内にあることを特定することができる。
【０００９】
前記装置の状態表示装置は、前記第一判断手段が前記所望キーとは異なるキーが押下されたと判断した場合、前記所望キーから１つ隣のキーが押下されたか否かを判断する第三判断手段を更に備え、前記発光制御手段は、前記第三判断手段が前記所望キーの前記１つ隣のキーが押下されたと判断した場合、前記表示部を第三発光パターンで発光させてもよい。この場合、装置の状態表示装置では、第三判断手段が所望キーから１つ隣のキーが押下されたと判断した場合、表示部は、第三発光パターンで発光する。故に、ユーザは、表示部が第三発光パターンで発光しているとき、押下されたキーから１つ隣に所望キーがあることを特定することができる。
【００１０】
前記装置の状態表示装置は、前記第一判断手段が前記所望キーとは異なるキーが押下されたと判断した場合、前記所望キーから２つ隣のキーが押下されたか否かを判断する第四判断手段を更に備え、前記発光制御手段は、前記第四判断手段が前記所望キーの前記２つ隣のキーが押下されたと判断した場合、前記表示部を、前記第三発光パターンとは異なる第四発光パターンで発光させてもよい。この場合、装置の状態表示装置では、第四判断手段が所望キーから２つ隣のキーが押下されたと判断した場合、表示部は、第三発光パターンとは異なる第四発光パターンで発光する。ユーザは、装置の状態表示装置が第四発光パターンで発光しているとき、押下されたキーから２つ隣に所望キーがあることを特定することができる。また、発光パターンが第三発光パターンと異なる第四発光パターンで発光するため、ユーザは、押下されたキーから２つ隣のキーが所望キーであることを確実に特定することができる。
【００１１】
前記装置の状態表示装置では、前記複数のキーは、前記複数のキーの位置に対応する複数の領域に分類可能であり、前記装置の状態表示装置は、前記第一判断手段が前記所望キーとは異なるキーが押下されたと判断した場合、前記複数の領域のうち前記所望キーに対応する領域と同一の領域に分類されているキーが押下されたか否かを判断する第五判断手段を更に備え、前記発光制御手段は、前記第五判断手段が、前記所望キーに対応する領域と同一の領域に分類されているキーが押下されたと判断した場合、前記表示部を第五発光パターンで発光させてもよい。この場合、装置の状態表示装置では、第五判断手段が所望キーに対応する領域と同一の領域に分類されているキーが押下されたと判断した場合、表示部は、第五発光パターンで発光する。ユーザは、表示部が第五発光パターンで発光しているとき、所望キーが押下されたキーと同一の領域に分類されているキーであることを特定することができる。故に、ユーザは所望キーの位置を特定しやすい。
【００１２】
前記装置の状態表示装置では、前記複数のキーは所定領域に配置されており、前記装置の状態表示装置は、前記第一判断手段が前記所望キーとは異なるキーが押下されたと判断した場合、前記所望キーが、前記押下されたキーに対して前記所定領域の一方側にあるか否かを判断する第六判断手段を更に備え、前記発光制御手段は、前記第六判断手段が、前記所望キーが、前記押下されたキーに対して前記所定領域の前記一方側に有ると判断した場合、前記表示部を第六発光パターンで発光させてもよい。この場合、装置の状態表示装置では、第六判断手段が、所望キーが押下されたキーに対して所定領域の一方側にあると判断した場合、表示部は、第六発光パターンで発光する。ユーザは、表示部が第六発光パターンで発光しているとき、押下されたキーに対して所望キーが所定領域の一方側にあることを特定することができる。
【００１３】
前記装置の状態表示装置では、前記表示部は、前記装置に設けられたＬＥＤであってもよい。この場合、表示部は装置に設けられているＬＥＤであるので、装置の状態表示装置は、装置にすでに設けられているＬＥＤを用いて装置の状態を表示できる。故に、別途新たなＬＥＤを装置に設ける必要がない。
【００１４】
前記装置の状態表示装置では、前記ＬＥＤは、複数の色で発光してもよい。この場合、表示部は、複数の色で発光するので、色の違いによる点灯パターンにより装置の状態を特定することができる。
【００１５】
前記装置の状態表示装置は、前記装置が前記複数の状態のうち何れかの状態が発生した所定状態であることを判断する第七判断手段を更に備え、前記発光制御手段は、前記第七判断手段が前記所定状態であると判断した場合、前記表示部を第七発光パターンで発光させてもよい。この場合、装置の状態表示装置では、第七判断手段が装置に所定状態が発生したと判断した場合、表示部は、第七発光パターンで発光する。ユーザは、表示部が第七発光パターンで発光しているとき、装置が所定状態であることを特定することができる。
【００１６】
前記装置の状態表示装置は印刷装置のエラーを表示してもよい。この場合、装置の状態表示装置は印刷装置のエラーを表示する。印刷装置のユーザは、所望キーを見付けようとした場合、全てのキーを順番に押すことに比べて少ない回数で所望キーを特定することができる。
【図面の簡単な説明】
【００１７】
【図１】印刷装置１の斜視図である。
【図２】印刷装置１の電気的構成を示すブロック図である。
【図３】印刷装置１の属性とエラー名とＩＤ番号を表すエラーテーブルである。
【図４】印刷装置１のエラーモードにおけるＬＥＤ６Ａの発光パターンを示す図である。
【図５】エラー特定処理１のフローチャートである。
【図６】第一発光パターン点滅回数決定処理のフローチャートである。
【図７】エラー特定処理２のフローチャートである。
【図８】エラー特定処理３のフローチャートである。
【発明を実施するための形態】
【００１８】
＜印刷装置１の概要＞
以下、本発明の一実施の形態の印刷装置１について、図面を参照して説明する。参照する図面は、本発明が採用しうる技術的特徴を説明するために用いられるものである。図示されている装置の構成、各種処理のフローチャート等は、それのみに限定する趣旨ではなく、単なる説明例である。以下の説明において、図１の右下側、左上側、右上側、左下側、上側、下側を、夫々、印刷装置１の右側、左側、後側、前側、上側、下側と定義する。
【００１９】
図１に示すように、印刷装置１は、筐体２、カバー３、パネル４、キー５Ａ、５Ｂ、５Ｃ、５Ｄ、５Ｅ、５Ｆ、ＬＥＤ６Ａ、６Ｂ、６Ｃ、排出口７、トレイ８、コネクタ（図示略）、カッタ３０（図２参照）、ファンモータ３２（図２参照）、ヘッド３４（図２参照）、搬送モータ３６（図２参照）、媒体検出センサ３８（図２参照）等を備える。筐体２は、上部が開放する箱形態であり、正面視及び平面視略矩形状である。カバー３は、筐体２の後部で回動可能に支持される。カバー３は、左右方向に延びる回転軸を支点に前端側を上下に揺動し、筐体２を開閉する。印刷時、カバー３は、筐体２の上部を覆う。パネル４は、カバー３の前側に設けられる。キー５Ａ、５Ｂ、５Ｃ、５Ｄ、５Ｅ、５Ｆは、パネル４に設けられ、パネル４の左側から右側にわたり順に並ぶ。ＬＥＤ６Ａ、６Ｂ、６Ｃは、パネル４に設けられ、キー５Ａ、５Ｄ、５Ｅの夫々の後側に設けられる。キー５Ａ、５Ｂ、５Ｃ、５Ｄ、５Ｅ、５Ｆは、ユーザによる操作の入力を受け付ける。排出口７は、キー５Ａ、５Ｂ、５Ｃ、５Ｄ、５Ｅ、５Ｆの前側、且つ下側に設けられ、左右方向に長い。排出口７は、印刷後の印刷媒体を排出する。トレイ８は、排出口７から排出される印刷後の印刷媒体を支持する。コネクタは、電源コード（図示略）が接続され、筐体２の背面下部に設けられる。コネクタは、更に、外部端末２９（図２参照）等と接続するＵＳＢケーブル（Ｕｎｉｖｅｒｓａｌ ｓｅｒｉａｌ Ｂｕｓ ケーブル）が接続される（図示略）。カッタ３０は、印刷媒体をカットする。ファンモータ３２は、印刷装置１内部の空気を外部に排出する。ヘッド３４は、印刷媒体への印刷に用いられる（図２参照）。搬送モータ３６は、印刷媒体をフィードする。媒体検出センサ３８は、印刷媒体の有無を検出する。
【００２０】
外部端末２９は、例えば、汎用のパーソナルコンピュータ（ＰＣ）、携帯端末、タブレット端末等である。外部端末２９のＣＰＵ（図示略）は、インストールされたドライバのプログラム（図示略）を実行し、画像データから印刷データを作成する。印刷装置１は、作成した印刷データをもとに印刷処理を行う。印刷処理の詳細な説明については省略する。
【００２１】
＜印刷装置１の電気的構成＞
図２を参照し、印刷装置１の電気的構成について説明する。印刷装置１は、制御基板２１２を備える。制御基板２１２は、印刷装置１の制御を行い、ＣＰＵ２１、ＲＯＭ２２、ＲＡＭ２３、フラッシュメモリ２４、入出力インタフェイス２５、入力回路２６、ＬＥＤ駆動回路２７、ＵＳＢインタフェイス２８、カッタ駆動回路３１、ファン駆動回路３３、ヘッド駆動回路３５、搬送駆動回路３７、無線ＬＡＮモジュール３９等を備える。ＣＰＵ２１は、印刷装置１の制御を司る。ＣＰＵ２１には、ＲＯＭ２２、ＲＡＭ２３、及びフラッシュメモリ２４が、バスを介して接続される。また、ＣＰＵ２１は、入出力インタフェイス２５を介し、入力回路２６と、ＬＥＤ駆動回路２７と、ＵＳＢインタフェイス２８と、カッタ駆動回路３１、ファン駆動回路３３、ヘッド駆動回路３５、搬送駆動回路３７、無線ＬＡＮモジュール３９とが接続する。ＲＯＭ２２は、ＣＰＵ２１が実行する第一発光パターン点滅回数決定処理、及びエラー特定処理１、２、３のプログラムを記憶する。また、ＲＯＭ２２は、後述のエラーテーブル５０を記憶する。ＲＡＭ２３は、種々の一時データを記憶する。フラッシュメモリ２４は、外部端末２９から受信した印刷データを記憶する。
【００２２】
入力回路２６は、キー５Ａ、５Ｂ、５Ｃ、５Ｄ、５Ｅ、５Ｆと接続し、入出力インタフェイス２５を介して、ＣＰＵ２１と接続する。入力回路２６は、キー５Ａ、５Ｂ、５Ｃ、５Ｄ、５Ｅ、５Ｆからの入力を受け付ける。入力回路２６は、入力回路２６が受け付けたキー入力の情報を、入出力インタフェイス２５を介して、ＣＰＵ２１へ送信する。ＬＥＤ駆動回路２７は、ＬＥＤ６Ａ、６Ｂ、６Ｃと接続し、入出力インタフェイス２５を介して、ＣＰＵ２１と接続する。ＬＥＤ駆動回路２７は、ＬＥＤ６Ａ、６Ｂ、６Ｃに通電することによってＬＥＤ６Ａ、６Ｂ、６Ｃのオン・オフを制御する。ＣＰＵ２１は、ＬＥＤ６Ａ、６Ｂ、６Ｃに対する通電を、ＬＥＤ駆動回路２７を介して制御する。
【００２３】
ＵＳＢインタフェイス２８は、ＵＳＢケーブルを介して外部端末２９と通信する。従って、印刷装置１は、ＵＳＢケーブルを介して外部端末２９から印刷データを受信する。なお、印刷装置１は、後述の無線ＬＡＮモジュール３９によりＢｌｕｅｔｏｏｔｈ（登録商標）、Ｗｉ−Ｆｉ（登録商標）等の無線接続によって外部端末２９と通信する。カッタ駆動回路３１は、カッタ３０と接続し、入出力インタフェイス２５を介してＣＰＵ２１と接続する。カッタ駆動回路３１は、ＣＰＵ２１の命令に従い、カッタ３０の動作を制御する。ファン駆動回路３３は、ファンモータ３２と接続し、入出力インタフェイス２５を介してＣＰＵ２１と接続する。ファン駆動回路３３は、ＣＰＵ２１の命令に従い、ファンモータ３２の回転を制御する。ヘッド駆動回路３５は、ヘッド３４と接続し、入出力インタフェイス２５を介してＣＰＵ２１と接続する。ヘッド駆動回路３５は、ＣＰＵ２１の命令に従い、ヘッド３４を駆動する。搬送駆動回路３７は、搬送モータ３６と接続し、入出力インタフェイス２５を介してＣＰＵ２１と接続する。搬送駆動回路３７は、ＣＰＵ２１の命令に従い、搬送モータ３６を駆動する。媒体検出センサ３８は、印刷媒体の有無を検出する。無線ＬＡＮモジュール３９は、外部端末２９と無線ＬＡＮによる通信を行うためのモジュールである。無線ＬＡＮモジュール３９は、Ｂｌｕｅｔｏｏｔｈ（登録商標）、Ｗｉ−Ｆｉ等の無線接続を行うためのモジュールである。
【００２４】
キー５Ａ、５Ｂ、５Ｃ、５Ｄ、５Ｅ、５Ｆは、印刷装置１の上記構成に異常（以下、「エラー」という。）等が発生していない状態（以下、「通常モード」という。）において、以下の役割を担当する。キー５Ａは、電源ＯＮ／ＯＦＦキーであり、長押しにより印刷装置１の電源をＯＮ／ＯＦＦする。キー５Ｂは、フィードキーであり、搬送モータ３６の駆動により印刷媒体を一定量フィードして印刷媒体の位置合せをするために用いられる。キー５Ｃは、カットキーであり、印刷媒体を一定量送らせて、カッタ３０により印刷媒体をカットさせるために用いられる。キー５Ｄは、Ｂｌｕｅｔｏｏｔｈ（登録商標）キーであり、外部端末２９と無線ＬＡＮモジュール３９とをＢｌｕｅｔｏｏｔｈ（登録商標）による無線接続させるために用いられる。キー５Ｅは、Ｗｉ−Ｆｉキーであり、外部端末２９と無線ＬＡＮモジュール３９とを無線接続させるために用いられる。キー５Ｆは、ＷＰＳキー（Ｗｉ−Ｆｉ Ｐｒｏｔｅｃｔｅｄ Ｓｅｔｕｐキー）であり、周辺のアクセスポイントとの接続を印刷装置１にさせるために用いられる。なお、ＷＰＳキーは、Ｗｉ−Ｆｉ Ａｌｌｉａｎｃｅが策定した無線ＬＡＮの接続設定を簡易に行うための規格である。キー５Ｆの押下によりＷＰＳに対応した無線ＬＡＮの自動設定を行うことが可能である。
【００２５】
ＬＥＤ６Ａ、６Ｂ、６Ｃは、印刷装置１が通常モードの時、各々の前側に隣接するキー５Ａ、５Ｄ、５Ｅの役割に対応して点灯する。ＬＥＤ６Ａは、マルチカラータイプのＬＥＤであり、１つの外装内に緑色、及び赤色の発光素子が組み込まれている。なお、ＬＥＤ６Ａは、緑色及び赤色での発光以外に、緑色及び赤色の発光素子を同時に発光させることにより橙色で発光する。ＬＥＤ６Ａは、印刷装置１の電源ＯＮ／ＯＦＦ状態、システムオフ中状態又はカバーオープン状態を表す。印刷装置１が電源ＯＮの場合、ＬＥＤ６Ａは緑色に点灯する。印刷装置１が電源ＯＦＦの場合、ＬＥＤ６Ａは消灯する。印刷装置１がシステムオフ中状態の場合、ＬＥＤ６Ａは橙色に点灯する。なお、システムオフ中状態とは、キー５Ａを長押しして印刷装置１が電源ＯＦＦに至るまでの移行期間の状態をいう。また、カバーオープン状態の場合、ＬＥＤ６Ａは、橙色に点灯する。ＬＥＤ６Ｂは、印刷装置１のＢｌｕｅｔｏｏｔｈ（登録商標）の接続状態を表す。Ｂｌｕｅｔｏｏｔｈ（登録商標）の接続が有効である場合、ＬＥＤ６Ｂは青色に点灯する。Ｂｌｕｅｔｏｏｔｈ（登録商標）の接続が有効でない場合、ＬＥＤ６Ｂは消灯する。Ｂｌｕｅｔｏｏｔｈ（登録商標）に再接続中の場合、ＬＥＤ６Ｂは青色に点滅する。ＬＥＤ６Ｃは、無線ＬＡＮ等の接続状態を表す。印刷装置１の無線ＬＡＮの接続が接続確立状態である場合、ＬＥＤ６Ｃは緑色に点灯する。印刷装置１の無線ＬＡＮの接続が未接続状態又は接続試行状態である場合、ＬＥＤ６Ｃは緑色に点滅する。無線ＬＡＮの接続が無効状態の場合、ＬＥＤ６Ｃは消灯する。なお、無線ＬＡＮの接続が接続確立状態とは、印刷装置１が外部端末２９に無線ＬＡＮの接続が完了している状態をいう。無線ＬＡＮの接続が未接続状態又は接続試行状態とは、印刷装置１が外部端末２９に無線ＬＡＮ接続しようとしつつも完了に至っていない状態をいう。例えば、未接続状態は、印刷装置１が外部端末２９を認識しているが、パスワード入力待ちなどの無線ＬＡＮ接続が未接続の状態である。また、接続試行状態は、印刷装置１が外部端末２９を認識し無線ＬＡＮに接続を試行している状態である。無線ＬＡＮの接続が無効状態とは、印刷装置１と外部端末２９との無線ＬＡＮ接続が無効である状態をいう。
【００２６】
本実施形態では、ＬＥＤ６Ａ、６Ｂ、６Ｃは、通常モードでの機能と別の用途で使用される場合がある。例えば、ＬＥＤ６Ａ、６Ｂ、６Ｃは、リセット方法の選択、又は後述のエラーが発生したモード（以下、「エラーモード」という。）の場合にも使用される。以下の説明においては、ＬＥＤ６Ａがエラー発生の表示用のＬＥＤとして機能する。エラーモードにおいて、ＬＥＤ６Ａは、赤色で発光する。
【００２７】
本実施形態が想定するエラーモードにおいて、ＬＥＤ６Ａ、６Ｂ、６Ｃの間に関係性は無く、各々のＬＥＤ６Ａ、６Ｂ、６Ｃは独立してエラー表示する。例えば、ＬＥＤ６Ｂ及びＬＥＤ６Ｃは、通常モードと同様の役割で発光しているのに対して、ＬＥＤ６Ａは、独立して赤色に点滅してエラー表示する。
【００２８】
＜エラーの属性及びエラー名について＞
図３のエラーテーブル５０を参照して、印刷装置１に想定されるエラーの属性、及びエラー名（以下、「エラーの種類」ともいう。）について説明する。エラーが発生し、印刷装置１がエラーモードの場合、ＣＰＵ２１は、ＲＯＭ２２に記憶されたエラーテーブル５０を参照し、印刷装置１の状態を特定する。印刷装置１のエラー状態は、エラーの種類により６つの属性に分けられている。属性は、媒体、データ転送、データベース、無線ＬＡＮ、ＵＳＢホスト、システムに分類される。
【００２９】
媒体に関するエラーは、テープエンドエラー、フィードエラー、媒体なしエラー、媒体間違いエラー等がある。テープエンドエラー、フィードエラー、媒体なしエラー、媒体間違いエラーは、エラー名に対応してＩＤ番号１１、１２、１３、１４が夫々割り当てられている。テープエンドエラーとは、印刷装置１に備えられたテープを使い切った状態をいう。フィードエラーとは、紙詰まり等で印刷媒体を送ることができない状態をいう。媒体なしエラーは、印刷媒体が印刷装置１に装着されていない状態をいう。媒体間違いエラーは、外部端末２９から送信された媒体情報とは異なる印刷媒体が印刷装置１に装着されている状態をいう。
【００３０】
データ転送に関するエラーは、通信コマンドエラー、メモリフルエラー、ＥＳＣＰメモリフルエラー、及びＪＰＥＧファイルエラー等がある。通信コマンドエラー、メモリフルエラー、ＥＳＣＰメモリフルエラー、及びＪＰＥＧファイルエラーは、エラー名に対応してＩＤ番号２１、２２、２３、２４が夫々割り当てられている。通信コマンドエラーは、ＣＰＵ２１が適切な通信コマンドを見つけることができない状態をいう。メモリフルエラーは、ＲＡＭ２３への記憶容量が上限に達している状態をいう。ＥＳＣＰメモリフルエラーは、プリンタ用印刷制御コマンドＥＳＣＰによる印刷において受信バッファの記憶容量が上限に達している状態をいう。ＪＰＥＧファイルエラーは、ＪＰＥＧファイルを読み込みできない状態をいう。
【００３１】
データベースに関するエラーは、データベース検索エラー、及びテンプレートなしエラー等がある。データベース検索エラー、及びテンプレートなしエラーは、エラー名に対応してＩＤ番号３１、３２が夫々割り当てられている。データベース検索エラーは、データベースに関する文字列の検索に失敗した状態をいう。テンプレートなしエラーは、印刷データのテンプレートが選択できない状態をいう。
【００３２】
無線ＬＡＮに関するエラーは、アクセスポイント検索エラー、アクセスポイント接続エラー、及びセキュリティエラー等がある。アクセスポイント検索エラー、アクセスポイント接続エラー、及びセキュリティエラーは、エラー名に対応してＩＤ番号４１、４２、４３が夫々割り当てられている。アクセスポイント検索エラーは、アクセスポイントの検索ができない状態をいう。アクセスポイント接続エラーは、印刷装置１への接続対象とするアクセスポイントを特定できない状態をいう。セキュリティエラーは、無線ＬＡＮモジュール３９の無線ＬＡＮ接続に関するセキュリティーのエラーが起きている状態をいう。
【００３３】
ＵＳＢホストに関するエラーは、ＵＳＢホスト電源供給オーバーエラー、ＵＳＢホスト非対応機器接続エラー、及びＵＳＢホストＨＵＢ接続エラー等がある。ＵＳＢホスト電源供給オーバーエラー、ＵＳＢホスト非対応機器接続エラー、及びＵＳＢホストＨＵＢ接続エラーは、エラー名に対応してＩＤ番号５１、５２、５３が夫々割り当てられている。ＵＳＢホスト電源供給オーバーエラーとは、ＵＳＢホストからの供給電流が定格０．５Ａ以上流れる状態をいう。ＵＳＢホスト非対応機器接続エラーは、ＵＳＢホストが接続されたＵＳＢの規格に対応していない状態をいう。ＵＳＢホストＨＵＢ接続エラーは、ＵＳＢホストにＨＵＢが接続された状態をいう。
【００３４】
システムに関するエラーは、メモリエラー、ヘッドエラー、ファンモータエラー、内蔵電源低圧エラー、無線ＬＡＮモジュールエラーが割り当てられている。メモリエラー、ヘッドエラー、ファンモータエラー、内蔵電源低圧エラー、無線ＬＡＮモジュールエラーは、エラー名に対応してＩＤ番号６１、６２、６３、６４、６５が夫々割り当てられる。メモリエラーは、ＲＯＭ２２又はＲＡＭ２３等のメモリの情報を読み込めない等の状態をいう。ヘッドエラーは、印刷装置１のヘッド３４に異常が生じた状態をいう。ファンモータエラーは、印刷装置１の冷却用のファンモータ３２に異常が生じた状態をいう。内蔵電源低圧エラーは、内蔵の電源電圧が規定値より低い状態をいう。無線ＬＡＮモジュールエラーは、無線ＬＡＮモジュール３９に何らかの異常が生じ、通信できない状態をいう。
【００３５】
印刷装置１がエラーモードである場合のキー５Ａ、５Ｂ、５Ｃ、５Ｄ、５Ｅ、５Ｆと各属性との関係を説明する。本実施形態では、印刷装置１のエラーモードにおいて、キー５Ａは、媒体に関するエラーと対応する。キー５Ｂは、データ転送に関するエラーと対応する。キー５Ｃは、データベースに関するエラーと対応する。キー５Ｄは、無線ＬＡＮに関するエラーと対応する。キー５Ｅは、ＵＳＢホストに関するエラーと対応する。キー５Ｆは、システムに関するエラーと対応する。
【００３６】
図４を参照して、エラーモードにおけるＬＥＤ６Ａの発光パターンについて説明する。図４では、白部分が、ＬＥＤの消灯を示し、黒部分はＬＥＤの赤色での点灯を示す。また、横軸は、時間軸を示す。ＬＥＤ６Ａは、エラーモードにおける印刷装置１のエラー発生状態、発生したエラーの属性、及びエラーの種類等に基づき、第一発光パターン、第二発光パターン、第三発光パターン、第四発光パターン、第五発光パターン、第六発光パターン、第六発光パターンＡ、第六発光パターンＢ、及び第七発光パターン等で発光可能である。また、ＬＥＤ６Ａは、上記発光パターンの組み合わせでも発光可能である。第一発光パターンは、所定時間のインターバル後に、ＩＤ番号の下一桁の数値に対応する数だけ点滅するセットを繰り返す。なお、インターバルとは、ＬＥＤ６Ａが消灯する期間をいう。ここで、図４に示す第一発光パターンは、例えば、媒体なしエラーの場合が該当し、対応するＩＤ番号（１３）の下一桁の数値が３の場合の発光パターンを示している。故に、図４に示す第一発光パターンは、所定時間のインターバルの後（一例として０．９ｓｅｃ）、点灯（一例として０．３ｓｅｃ）と消灯（一例として０．３ｓｅｃ）を３回繰り返す（一例として１．５ｓｅｃ）セットを繰り返し行う。なお、本実施形態では、第一発光パターンの所定時間のインターバル後の点滅回数は、ＩＤ番号の下一桁の数値に関して無線ＬＡＮモジュールエラー（属性：システム）の数値が５であるため、最大で５回である。故に、第一発光パターンは、図示外の点滅パターンを複数有する。
【００３７】
第二発光パターンは、細かい周期で点灯（一例として０．１ｓｅｃ）と消灯（一例として０．１ｓｅｃ）を４回繰り返した後、後述の第七発光パターンで発光する発光パターンである。第三発光パターンは、第一発光パターンのインターバルの略半分のインターバル（一例として０．５ｓｅｃ）の後、細かい周期で点灯（一例として０．１ｓｅｃ）と消灯（一例として０．１ｓｅｃ）を４回繰り返した後（一例として０．８ｓｅｃ）、第七発光パターンで発光する発光パターンである。第四発光パターンは、第三発光パターンのインターバルと同じ時間のインターバルの後（一例として０．５ｓｅｃ）、細かい周期で点灯（一例として０．１ｓｅｃ）と消灯（一例として０．１ｓｅｃ）を４回繰り返すセットを２回行った後（一例として２．４ｓｅｃ）、第七発光パターンで発光する発光パターンである。第五発光パターンは、細かい周期で点灯（一例として０．１ｓｅｃ）と消灯（一例として０．１ｓｅｃ）を５回繰り返した後、第七発光パターンで発光する発光パターンである。第六発光パターンは、細かい周期で点灯（一例として０．１ｓｅｃ）と消灯（一例として０．１ｓｅｃ）を４回繰り返した後、第七発光パターンで発光する発光パターンである。第六発光パターンＡは、第七発光パターンの点灯時間の略半分の期間点灯（一例として０．３ｓｅｃ）し、細かい周期で点灯（一例として０．１ｓｅｃ）と消灯（一例として０．１ｓｅｃ）を４回繰り返した後（一例として０．８ｓｅｃ）、インターバルを介して（一例として０．５ｓｅｃ）、第七発光パターンで発光する発光パターンである。第六発光パターンＢは、細かい周期で点灯（一例として０．１ｓｅｃ）と消灯（一例として０．１ｓｅｃ）を４回繰り返し、第七発光パターンの点灯時間の略半分の期間点灯した後（一例として０．３ｓｅｃ）、インターバルを介して（一例として０．５ｓｅｃ）、第七発光パターンで発光する発光パターンである。第七発光パターンは、発光（一例として０．３ｓｅｃ）と消灯（一例として０．３ｓｅｃ）を交互に繰り返す。なお、上記発光パターンの組み合わせで発光する場合、夫々の発光パターンが有する第七発光パターンと同じ発光パターンは無くてもよいし、所定時間繰り返してもよい。例えば、第三発光パターンと第六発光パターンＡを組み合わせる場合、第三発光パターンから第六発光パターンＡに切り替わるタイミングは、細かい周期で４回点滅した後に、所定時間の第七発光パターンでの発光を介して第六発光パターンＡに切り替わる。
【００３８】
＜第一実施形態＞
次に、図５を参照して、印刷装置１のエラー特定処理１について説明する。印刷装置１のキー５Ａが長押しされ、電源がＯＮとなると、ＣＰＵ２１は、ＲＯＭ２２から図５に示すエラー特定処理１のプログラムを読み出し、実行する。エラー特定処理１では、印刷装置１は、押下されたキーが所望キーから所定範囲内であるか否かを特定する。なお、所定範囲とは、印刷装置１に発生したエラーに対応する所望キーから、予め設定されている範囲のキーまでの範囲である。また、キー５Ａの押下とは、電源ＯＦＦにならない程度の短押しを意味しており、電源ＯＮ／ＯＦＦ時のキー５Ａの長押しとは異なる。ＣＰＵ２１は、一定の周期でエラーが発生したか検出を行う（Ｓ１１）。エラーが発生していないと判断した場合（Ｓ１１：ＮＯ）、ＣＰＵ２１は、Ｓ１１を繰り返す。エラーが発生したと判断した場合（Ｓ１１：ＹＥＳ）、ＣＰＵ２１は、エラーフラグをオンして、エラーモードへ移行する（Ｓ１３）。この場合、ＣＰＵ２１は、エラーフラグのオン状態として、エラーフラグ「１」をＲＡＭ２３に記憶する。なお、エラーフラグは、印刷装置１の電源投入時はオフ状態としてエラーフラグ「０」がＲＡＭ２３に記憶されている。次に、ＣＰＵ２１は、何らかのエラーが起きたことを示す第七発光パターンでＬＥＤ６Ａを発光させる（Ｓ１５）。これにより、ＣＰＵ２１は、印刷装置１に何らかのエラーが発生したことをユーザに報知する。次に、ＣＰＵ２１は、処理をＳ１６へ進める。
【００３９】
図６を参照して、第一発光パターン点滅回数決定処理のフローについて説明する。第一発光パターン点滅回数決定処理は、第一発光パターンの所定時間のインターバル後の点滅回数を決定する処理である。ＣＰＵ２１は、発生したエラーを特定する（Ｓ５０１）。ＣＰＵ２１は、入出力インタフェイス２５を介して、印刷装置１の各構成に生じたエラーを特定する。例えば、媒体なしエラーの場合、印刷装置１は、媒体検出センサ３８により印刷媒体が装着されていない信号を検出し、信号をＣＰＵ２１へ送る。ＣＰＵ２１は、媒体検出センサ３８からの信号により発生したエラーの種類を特定する。例えば、媒体検出センサ３８は、透過型フォトセンサが用いられる。
【００４０】
次に、ＣＰＵ２１は、エラーテーブル５０を参照して、特定されたエラーに関連付けられているＩＤ番号を特定する（Ｓ５０３）。ＣＰＵ２１は、ＩＤ番号の下一桁の数値が１か否かを判断する（Ｓ５０５）。ＩＤ番号の下一桁の数値が１である場合（Ｓ５０５：ＹＥＳ）、ＣＰＵ２１は、第一発光パターンの所定時間のインターバル後の点滅回数を１回と決定する（Ｓ５０７）。ＣＰＵ２１は、処理をＳ１７に進める。ＩＤ番号の下一桁の数値が１でない場合（Ｓ５０５：ＮＯ）、ＣＰＵ２１は、処理をＳ５０９へ進める。ＩＤ番号の下一桁の数値が２であると判断した場合（Ｓ５０９：ＹＥＳ）、ＣＰＵ２１は、第一発光パターンの所定時間のインターバル後の点滅回数を２回と決定する（Ｓ５１１）。ＣＰＵ２１は、処理をＳ１７に進める。ＩＤ番号の下一桁の数値が２でないと判断した場合（Ｓ５０９：ＮＯ）、ＣＰＵ２１は、処理をＳ５１３へ進める。
【００４１】
ＩＤ番号の下一桁の数値が３である場合（Ｓ５１３：ＹＥＳ）、ＣＰＵ２１は、第一発光パターンの所定時間のインターバル後の点滅回数を３回と決定する（Ｓ５１５）。ＣＰＵ２１は処理をＳ１７に進める。ＩＤ番号の下一桁の数値が３でないと判断した場合（Ｓ５１３：ＮＯ）、ＣＰＵ２１は、処理をＳ５１７へ進める。ＩＤ番号の下一桁の数値が４であると判断した場合（Ｓ５１７：ＹＥＳ）、ＣＰＵ２１は、第一発光パターンの所定時間のインターバル後の点滅回数を４回と決定する（Ｓ５１９）。ＣＰＵ２１は、処理をＳ１７に進める。ＩＤ番号の下一桁の数値が４でないと判断した場合（Ｓ５１７：ＮＯ）、ＣＰＵ２１は、第一発光パターンの所定時間のインターバル後の点滅回数を５回と決定する（Ｓ５２１）。ＣＰＵ２１は、処理をＳ１７に進める。
【００４２】
エラー報知を認識したユーザは、印刷装置１に発生したエラーの属性を特定するため、キー５Ａ、５Ｂ、５Ｃ、５Ｄ、５Ｅ、５Ｆの何れかを押下する。以下、発生したエラーに対応するキーを「所望キー」という。次に、ＣＰＵ２１は、キー入力があったか否かを判断する（Ｓ１７）。キー入力が無いと判断した場合（Ｓ１７：ＮＯ）、ＣＰＵ２１は、処理をＳ１５に戻す。この場合、ＬＥＤ６Ａは第七発光パターンでの発光を継続する。ＣＰＵ２１は、処理をＳ１７に戻し、キーの入力を待つ。キー入力があった場合（Ｓ１７：ＹＥＳ）、ＣＰＵ２１は、処理をＳ１９へ進める。
【００４３】
所望キーが押下された場合（Ｓ１９：ＹＥＳ）、ＣＰＵ２１は、エラー名を示すＬＥＤ発光パターンである第一発光パターンでＬＥＤ６Ａを発光させる（Ｓ２１）。これにより、複数のキー５Ａ、５Ｂ、５Ｃ、５Ｄ、５Ｅ、５Ｆの各々は、印刷装置１に生じたエラーの属性と対応するため、ユーザは、印刷装置１のエラーの属性を特定することができる。また、ユーザは、ＬＥＤ６Ａの第一発光パターンにおける所定時間のインターバル後の点滅回数を観測することにより、点滅回数とＩＤ番号の下一桁の数値との関係でエラーの種類を特定することができる。
【００４４】
ＣＰＵ２１は、処理をＳ２３へ進める。ＣＰＵ２１は、発生したエラーが解除されたか否か判断する（Ｓ２３）。エラー解除の判断は、ＣＰＵ２１が入出力インタフェイス２５を介して、機能が回復したことを検出することにより判断される。例えば、媒体なしエラーの場合、印刷装置１へ印刷媒体を補充することにより解除可能である。印刷媒体が補充された場合、ＣＰＵ２１は、媒体検出センサ３８からの信号により印刷媒体がセットされた状態を検出できる。エラーが解除されていない場合（Ｓ２３：ＮＯ）、ＣＰＵ２１は、Ｓ２１に処理を戻す。この場合、ＣＰＵ２１は、第一発光パターンでのＬＥＤ６Ａの発光を継続する。エラーが解除されたと判断した場合（Ｓ２３：ＹＥＳ）、ＣＰＵ２１は、処理をＳ２５へ進める。ＣＰＵ２１は、ＲＡＭ２３に記憶されたエラーフラグ「１」をオフ状態のエラーフラグ「０」にして、印刷装置１を通常モードへ移行する（Ｓ２５）。次に、ＣＰＵ２１は、ＬＥＤ６Ａを通常モードのＬＥＤ発光に切り替える（Ｓ２７）。ＣＰＵ２１は、処理をＳ１１へ戻す。
【００４５】
一方、押下されたキーが所望キーでない場合（Ｓ１９：ＮＯ）、ＣＰＵ２１は、押下されたキーの位置が、所望キーの所定範囲内のキーであるか否かを判断する（Ｓ２９）。なお、Ｓ１２９の判断においては、キー毎に所定範囲内のキーを示すテーブル（図示略）がＲＯＭ２２に記憶されており、ＣＰＵ２１は、テーブルを参照することで押下されたキーが所望キーと同じ領域にあるか否かを判断する。例えば、所定範囲は、所望キーから２つのキーまでの範囲である。押下されたキーが所望キーの所定範囲内のキーでない場合（Ｓ２９：ＮＯ）、ＣＰＵ２１は、ＬＥＤ６Ａの第七発光パターンでの発光を継続する（Ｓ３１）。ＣＰＵ２１は、処理をＳ１７へ戻す。押下されたキーが所望キーの所定範囲内のキーであった場合（Ｓ２９：ＹＥＳ）、ＣＰＵ２１は、所望キーが押下されたキーから所定範囲内にあることを示唆する第二発光パターンでＬＥＤ６Ａを発光させる（Ｓ３３）。ＣＰＵ２１は、処理をＳ１７へ戻す。
【００４６】
＜第二実施形態＞
図７を参照して、エラー特定処理２について説明する。印刷装置１のキー５Ａが押下され電源がＯＮした場合、ＣＰＵ２１は、ＲＯＭ２２から図７に示すエラー特定処理１のプログラムを読み出し、実行する。エラー特定処理２では、印刷装置１は、押下されたキーが所望キーと同じ領域にあるか否かを特定する。なお、同じ領域とは、キー５Ａ、５Ｂ、５Ｃ、５Ｄ、５Ｅ、５Ｆが配置された領域を、キー５Ａ〜５Ｃ、及びキー５Ｄ〜５Ｆに属する領域に分けた場合、押下されたキーの領域と所望キーの領域が同じであることをいう。また、以下の説明では、ＣＰＵ２１が実行するエラー特定処理１と同じ処理については同じ符号を付し説明を省略する（Ｓ１１〜Ｓ２７）。
【００４７】
押下されたキーが所望キーでない場合（Ｓ１９：ＮＯ）、ＣＰＵ２１は、処理をＳ１２９に進める。ＣＰＵ２１は、押下されたキーが所望キーと同じ領域にあるか否かを判断する（Ｓ１２９）。なお、Ｓ１２９の判断においては、ＣＰＵ２１は、キー毎に同じ領域内のキーを示すテーブル（図示略）がＲＯＭ２２に記憶されており、テーブルを参照することで押下されたキーが所望キーと同じ領域にあるか否かを判断する。同じ領域にない場合（Ｓ１２９：ＮＯ）、ＣＰＵ２１は、ＬＥＤ６Ａの発光を第七発光パターンで継続するので、ＬＥＤ６Ａの発光の状態が変化しない（Ｓ３１）。ＣＰＵ２１は、処理をＳ１７へ戻す。一方、同じ領域にある場合（Ｓ１２９：ＹＥＳ）、ＣＰＵ２１は、押下されたキーと所望キーとが同じ領域にあることを示唆する第五発光パターンでＬＥＤ６Ａを発光させる（Ｓ１３３）。ＣＰＵ２１は、処理をＳ１７へ戻す。
【００４８】
＜第三実施形態＞
図８を参照して、エラー特定処理３について説明する。印刷装置１のキー５Ａが押下され電源がＯＮした場合、ＣＰＵ２１は、ＲＯＭ２２から図８に示すエラー特定処理３のプログラムを読み出し、実行する。エラー特定処理３では、印刷装置１は、複数の条件を組み合わせて所望キーを特定する。複数の条件は、所望キーが、押下されたキーと同じ領域か否か、左側にあるか否か、所望キーと１つ隣、及び所望キーと２つ隣のキーであるかを判断する。なお、以下の説明では、ＣＰＵ２１が実行するエラー特定処理１、２と同様の処理については同じ符号を付し説明を省略する（Ｓ１１〜Ｓ２７）。
【００４９】
押下されたキーが所望キーでない場合（Ｓ１９：ＮＯ）、ＣＰＵ２１は、押下されたキーが所望キーと同じ領域にあるか否か判断する（Ｓ２２９）。なお、同じ領域とは、エラー特定処理２における同じ領域と同じである。同じ領域に無い場合（Ｓ２２９：ＮＯ）、ＣＰＵ２１は、処理をＳ２３１へ進める。ＣＰＵ２１は、ＬＥＤ６Ａの発光を第七発光パターンで継続するので、ＬＥＤ６Ａの発光の状態が変化しない（Ｓ２３１）。ＣＰＵ２１は、処理をＳ１７へ戻す。
【００５０】
一方、押下されたキーが所望キーと同じ領域にあると判断した場合（Ｓ２２９：ＹＥＳ）、ＣＰＵ２１は、処理をＳ２３３へ進める。次に、ＣＰＵ２１は、所望キーが、押下されたキーに対して左側に配置されているかを判断する（Ｓ２３３）。所望キーが押下されたキーに対して左側にあると判断した場合（Ｓ２３３：ＹＥＳ）、ＣＰＵ２１は、処理をＳ２３５へ進める。
【００５１】
次に、ＣＰＵ２１は、押下されたキーが所望キーの１つ隣のキーであるか否かを判断する（Ｓ２３５）。押下されたキーが所望キーの１つ隣のキーであると判断した場合（Ｓ２３５：ＹＥＳ）、ＣＰＵ２１は、同じ領域の１つ左隣にあることを示唆する発光パターンである第三発光パターン、及び第六発光パターンＡの組み合わせでＬＥＤ６Ａを発光させる（Ｓ２３７）。ＣＰＵ２１は、処理をＳ１７へ戻す。押下されたキーが所望キーの１つ隣のキーでない場合（Ｓ２３５：ＮＯ）、ＣＰＵ２１は、処理をＳ２３９へ進める。次に、ＣＰＵ２１は、押下された所望キーが押下されたキーから２つ隣であるか否か判断する（Ｓ２３９）。所望キーが押下されたキーから２つ隣である場合（Ｓ２３９：ＹＥＳ）、ＣＰＵ２１は、同じ領域の２つ左隣にあることを示唆する発光パターンである第四発光パターン、及び第六発光パターンＡの組み合わせでＬＥＤ６Ａを発光させる（Ｓ２４１）。ＣＰＵ２１は、処理をＳ１７へ戻す。押下されたキーが所望キーの２つ隣のキーでないと判断した場合（Ｓ２３９：ＮＯ）、ＣＰＵ２１は、同じ領域にあることを示唆する第五発光パターンで発光する（Ｓ２４３）。ＣＰＵ２１は、処理をＳ１７へ戻す。
【００５２】
一方、押下されたキーが所望キーの左側に無いと判断した場合（Ｓ２３３：ＮＯ）、ＣＰＵ２１は、処理をＳ２４５へ進める。ＣＰＵ２１は、押下されたキーが所望キーの１つ隣のキーであるか否かを判断する（Ｓ２４５）。押下されたキーが所望キーの１つ隣のキーであると判断した場合（Ｓ２４５：ＹＥＳ）、ＣＰＵ２１は、押下されたキーが同じ領域の１つ右隣にあることを示唆する発光パターンである第三発光パターン、及び第六発光パターンＢの組み合わせでＬＥＤ６Ａを発光させる（Ｓ２４７）。ＣＰＵ２１は、処理をＳ１７へ戻す。
【００５３】
押下されたキーが所望キーの１つ隣のキーでないと判断した場合（Ｓ２４５：ＮＯ）、ＣＰＵ２１は、処理をＳ２４９へ進める。ＣＰＵ２１は、押下されたキーが所望キーの２つ隣のキーであるか否か判断する（Ｓ２４９）。押下されたキーが所望キーの２つ隣のキーである場合（Ｓ２４９：ＹＥＳ）、ＣＰＵ２１は、同じ領域の２つ右隣にあることを示唆する発光パターンである第四発光パターン、及び第六発光パターンＢの組み合わせでＬＥＤ６Ａを発光させる（Ｓ２５１）。ＣＰＵ２１は、処理をＳ１７へ戻す。押下されたキーが所望キーの２つ隣のキーでない場合（Ｓ２４９：ＮＯ）、ＣＰＵ２１は、所望キーが同じ領域にあることを示唆する発光パターンである第五発光パターンでＬＥＤ６Ａを発光させる（Ｓ２５３）。ＣＰＵ２１は、処理をＳ１７へ戻す。
【００５４】
＜作用、効果＞
上記第一実施形態〜第三実施形態の印刷装置１では、印刷装置１における６つの属性が複数のキー５Ａ、５Ｂ、５Ｃ、５Ｄ、５Ｅ、５Ｆの各々と対応しているため、ユーザは、６つの属性に対応する所望キーと第一発光パターンとを観測することで印刷装置１の状態が６つの属性の何れかを特定することができる。また、印刷装置１は、６つの属性が複数のキー５Ａ、５Ｂ、５Ｃ、５Ｄ、５Ｅ、５Ｆの各々と対応しているため、少なくとも一つのＬＥＤ６Ａで印刷装置１の属性の特定を実現できる。故に、ユーザは、印刷装置１の状態を特定しやすい。また、エラーモードにおいて、発生したエラーのＩＤ番号の下一桁の数字と第一発光パターンにおける所定時間のインターバル後の点滅回数は一致する。故に、ユーザは、印刷装置１に発生したエラーの種類を特定することができる。
【００５５】
上記実施形態の印刷装置１では、ＣＰＵ２１が印刷装置１にエラーが発生したと判断した場合、ＬＥＤ６Ａは、第七発光パターンで発光する。ユーザは、ＬＥＤ６Ａが第七発光パターンで発光しているとき、印刷装置１がエラー状態であることを特定することができる。また、ＬＥＤ６Ａが印刷装置１に設けられているので、印刷装置１は、すでに設けられているＬＥＤ６Ａを用いて印刷装置１の状態を表示できる。故に、新たなＬＥＤを印刷装置１に設ける必要がない。
【００５６】
第一実施形態の印刷装置１では、所望キーとは異なるキーが押下された場合、ＬＥＤ６Ａは、第二発光パターンで発光する。故に、ユーザは、ＬＥＤ６Ａが第二発光パターンで発光している場合、押下されたキーが所望キーから所定範囲内にあることを特定することができる。故にユーザは、所望キーを特定しやすい。
【００５７】
また、第二実施形態の印刷装置１では、ＣＰＵ２１が所望キーに対応する領域と押下されたキーの領域とが同じ領域であると判断した場合、ＬＥＤ６Ａは、第五発光パターンで発光する。故に、ユーザは、ＬＥＤ６Ａが第五発光パターンで発光しているとき、所望キーが押下されたキーと同じ領域に分類されているキーであることを特定することができる。故に、ユーザは所望キーの位置を特定しやすい。
【００５８】
また、第三実施形態の印刷装置１では、ＬＥＤ６Ａが第三発光パターンと第六発光パターンＡの組み合わせで発光した場合、ユーザは、所望キーが同じ領域の１つ左隣にあると特定できる。ＬＥＤ６Ａが第四発光パターンと第六発光パターンＡの組み合わせで発光した場合、ユーザは、所望キーが同じ領域の２つ左隣にあると特定できる。ＬＥＤ６Ａが、第三発光パターン及び第六発光パターンＢで発光した場合、ユーザは、所望キーが同じ領域の１つ右隣にあると特定できる。ＬＥＤ６Ａが、第四発光パターン及び第六発光パターンＢで発光した場合、ユーザは、所望キーが同じ領域の２つ右隣にあると特定できる。ＬＥＤ６Ａが第五発光パターンで発光した場合、ユーザは、押下されたキーと所望キーが同じ領域にあることを特定できる。故に、ユーザは所望キーの位置を特定しやすい。
【００５９】
＜変形例＞
本発明は上記実施形態に限定されず、種々の変更が可能である。第一実施形態の印刷装置１では、所定範囲を所望キーから２つ以内のキーであるとしたが、１つ以内の範囲でもよいし、３つ以上の範囲を所定範囲としてもよい。第二実施形態の印刷装置１では、キー５Ａ〜５Ｃ、及びキー５Ｄ〜５Ｆに属する領域で分類したが、例えば、キー５Ａ〜５Ｄとキー５Ｅ、５Ｆとに分類してもよいし、それ以外の場合で分類してもよい。第三実施形態の印刷装置１では、複数の条件（同じ領域、左側、１つ隣、及び２つ隣）から所望キーの特定をおこなった。これに対して、複数の条件は、所定範囲内、左側、１つ隣、及び２つ隣の条件でもよい。また、印刷装置１は、複数の条件から３つ任意に選択して所望キーの特定を行ってもよい。また、印刷装置１は、複数の条件から２つを任意に選択して所望キーの特定を行ってもよい。
【００６０】
印刷装置１では、押下されたキーが所望キーと１つ隣にあるか否かのみ判断してもよい。この場合、ＬＥＤ６Ａは、第三発光パターンで発光する。故に、ユーザは、ＬＥＤ６Ａが第三発光パターンで発光しているとき、押下されたキーから１つ隣に所望キーがあることを特定することができる。
【００６１】
印刷装置１では、ＣＰＵ２１が所望キーから２つ隣のキーが押下されたかのみを判断してもよい。この場合、ＣＰＵ２１が所望キーから２つ隣のキーが押下されたと判断した場合、ＬＥＤ６Ａは、第三発光パターンとは異なる第四発光パターンで発光する。ユーザは、印刷装置１が第四発光パターンで発光しているとき、押下されたキーから２つ隣に所望キーがあることを特定することができる。また、発光パターンが第三発光パターンと異なる第四発光パターンで発光するため、ユーザは、押下されたキーから２つ隣のキーが所望キーであることを確実に特定することができる。
【００６２】
印刷装置１では、ＣＰＵ２１が所望キーが押下されたキーに対して所定領域の右方向側にあると判断した場合、ＬＥＤ６Ａは、第六発光パターンで発光してもよい。なお、所定領域とは、キーが配置されている領域をいう。故に、ユーザは、ＬＥＤ６Ａが第六発光パターンで発光しているとき、押下されたキーに対して所望キーが所定領域の右方向側にあることを特定することができる。なお、所定領域は、上記実施形態のように一列にキー５Ａ〜５Ｆが配置された場合だけでなく、例えば、印刷装置１は、縦と横に夫々２行、８列のキーが配列されてもよい。この場合、押下されたキーから所望キーが上下左右のどの位置にあるかを示唆するＬＥＤ６Ａの発光パターンを備えてもよいし、斜め方向にあることを示唆するＬＥＤ６Ａの発光パターンを備えてもよい。
【００６３】
印刷装置１では、印刷装置１の属性、及びエラーの種類の特定には、ＬＥＤ６Ａにより特定したが、ＬＥＤ６Ｂ、又はＬＥＤ６Ｃの何れかにより特定してもよい。また、印刷装置１の属性、及びエラーの種類の特定には、ＬＥＤ６Ａの赤色の発光パターンにより特定したが、これに限らず、ＬＥＤ６Ａの緑色、橙色、赤色の発光パターンによりエラー状態の特定を行ってもよい。この場合、ＬＥＤ６Ａがエラーの種類に応じた色の点灯パターンで光ることにより、印刷装置１の属性及びエラー状態を特定できる。
【００６４】
上記実施形態では、印刷装置１に関するエラーの表示について説明したが、これに限らず、上記実施形態で開示される技術を印刷装置１以外の装置に用いてもよい。上記実施形態の手法を用いた装置のユーザは、所望キーを見付けようとした場合、全てのキーを順番に押すことに比べて少ない回数で所望キーを特定することができる。
【００６５】
印刷装置１は、上記実施形態に開示される所望キーの特定の処理を任意に組み合わせてもよい。複数の条件で所望キーの特定を行う場合、特に、キーの数が多い印刷装置において有効である。上記実施形態では、媒体に関するエラー表示にはＬＥＤ６Ａが用いられたが、ＬＥＤ６Ｂ又はＬＥＤ６Ｃを用いてもよい。キー５Ａ、５Ｂ、５Ｃ、５Ｄ、５Ｅ、５Ｆは、６つの属性の各々に対応したが、異なる対応でもよい。また、キー５Ａ、５Ｂ、５Ｃ、５Ｄ、５Ｅ、５Ｆは、エラーの種類と夫々対応してもよい。複数のキーは６個であったが、装置の態様に応じて増やしてもよいし、減らしてもよい。また、上記実施形態では、印刷装置１の状態を６つの属性に分けたが、それ以上でもよいし、それ以下の属性に分けてもよい。印刷装置の１の状態は、必ずしもエラー状態の属性に限られない。例えば、電池の残量を示す場合等に用いられてもよい。エラーモードにおいて、ＬＥＤ６Ａは複数の発光パターンで発光したが（図４参照）、ユーザが視認しやすい態様であれば、それ以外の発光パターンで発光してもよい。ＬＥＤ６Ａは、緑色、橙色、赤色の３色で発光したが、それ以外の色の組み合わせでもよい。ＬＥＤ６Ａは、２色の発光素子を備えるＬＥＤであったが、発光素子の種類は３色以上でもよいし、単色でもよい。ＬＥＤの数は３つであったが、装置の態様に応じてＬＥＤを増やしてもよいし、減らしてもよい。エラー表示にはＬＥＤが用いられたが、他の発光素子でもよい。エラー特定処理１、２、３はＣＰＵ２１が行ったが、ＦＰＧＡ、ＡＳＩＣ等の他の素子を用いて実現してもよい。
【００６６】
＜その他＞
キー５Ａ、５Ｂ、５Ｃ、５Ｄ、５Ｅは、本発明の「複数のキー」の一例である。Ｓ１９の処理を行うＣＰＵ２１は、本発明の「第一判断手段」の一例である。ＬＥＤ６Ａは、本発明の「表示部」の一例である。ＣＰＵ２１は、本発明の「発光制御手段」の一例である。Ｓ２９の処理を行うＣＰＵ２１は、本発明の「第二判断手段」の一例である。Ｓ２３５の処理を行うＣＰＵ２１は、本発明の「第三判断手段」の一例である。Ｓ２３９、Ｓ２４９の処理を行うＣＰＵ２１は、本発明の「第四判断手段」の一例である。Ｓ１２９、Ｓ２２９の処理を行うＣＰＵ２１は、本発明の「第五判断手段」の一例である。所望キーが所定領域の右方向側にあると判断する処理を行うＣＰＵ２１は、本発明の「第六判断手段」の一例である。右方向側は、本発明の「一方側」の一例である。Ｓ１５の処理を行うＣＰＵ２１は、本発明の「第七判断手段」の一例である。印刷装置１のエラー状態は、本発明の「所定状態」の一例である。
【符号の説明】
【００６７】
１  印刷装置
５Ａ、５Ｂ、５Ｃ、５Ｄ、５Ｅ、６Ｅ  キー
６Ａ、６Ｂ、６Ｃ  ＬＥＤ
２１  ＣＰＵ
【図１】
2019089273.tif 000003
【図２】
2019089273.tif 000004
【図３】
2019089273.tif 000005
【図４】
2019089273.tif 000006
【図５】
2019089273.tif 000007
【図６】
2019089273.tif 000008
【図７】
2019089273.tif 000009
【図８】
2019089273.tif 000010